(57)【要約】【課題】  認証キー等の重要度の高い検出体のラインをセンサ部側から分離し、検出体側のライン状態がセンサ部側に影響を与えないようにしたセキュリティ装置を提供する。【解決手段】  ＣＰＵ１０ａには、複数のセンサによるセンサ部１５０が接続される入出力部１１、およびセンサ部１５０に比べて重要度の高い認証キー１４０が接続される入出力部１２が接続され、これらはＬＡＮカプラ１７を介してＣＰＵ１０ａに接続される。入出力部１１，１２は、ＬＡＮカプラ１７によって選択され、センサ部１５０と認証キー１４０は、いずれか一方がＣＰＵ１０ａに接続される。【選択図】    図１
2006202193.tif 000002
【特許請求の範囲】
【請求項１】
１または複数のセンサが接続される第１の入出力部と、
前記センサに比べて重要度の高い検出体が接続される第２の入出力部と、
前記第１および第２の入出力部を選択的に接続するカプラと、
前記カプラを制御して前記第１の入出力部に接続された前記１または複数のセンサおよび前記第２の入出力部に接続された前記検出体からの検出信号により監視を行う制御部とを備えたことを特徴とするセキュリティ装置。
【請求項２】
前記検出体は、認証キーであることを特徴とする請求項１記載のセキュリティ装置。
【請求項３】
前記第１の入出力部は、前記複数のセンサに対応した複数のチャンネルを有するアドレススイッチを介して前記カプラに接続されていることを特徴とする請求項１記載のセキュリティ装置。
【請求項４】
前記制御部は、前記検出体の接続ラインを遮断する時間帯が設定されたとき、前記時間帯にある間、前記カプラを前記第１の入出力部に接続することを特徴とする請求項１記載のセキュリティ装置。
【請求項５】
前記制御部は、前記時間帯を夜間に設定することを特徴とする請求項４記載のセキュリティ装置。
【請求項６】
前記制御部は、前記検出体の接続ラインを遮断するスケジュールが設定されたとき、前記スケジュールに該当する間、前記カプラを前記第１の入出力部に接続することを特徴とする請求項１記載のセキュリティ装置。
【請求項７】
前記制御部は、前記接続ラインを遮断する日付あるいは期間に基づいて前記カプラを前記第１の入出力部に接続することを特徴とする請求項６記載のセキュリティ装置。
【発明の詳細な説明】
【技術分野】
【０００１】
本発明は、ホームセキュリティシステム等に用いられるセキュリティ装置に関し、特に、認証キー等の重要度の高い検出体のラインをセンサ部側から分離し、検出体側のライン状態がセンサ部側に影響を与えないようにしたセキュリティ装置に関する。
【背景技術】
【０００２】
近年、パーソナルコンピュータおよびインターネットの普及にともない、例えば、店舗や住宅におけるガス漏れ、火災、不法侵入、ペットの異常等の異常発生を店舗や住宅から離れた場所にいる関係者や居住者に通知したり、また、離れた場所から店舗や住宅内の機器の制御を可能にしたセキュリティ装置が実現されている。
【０００３】
例えば、ドア鍵の異常開錠を検知して侵入警報を発生するシステム（例えば、特許文献１参照。）、携帯電話を用いて外出先から住宅機器をオン／オフ制御したり、窓や玄関の鍵を遠隔制御によって施錠又は開錠を行う制御システム等が提案されている（例えば、特許文献２，３参照。）。
【０００４】
図４は、従来のセキュリティ装置の構成を示すブロック図である。このセキュリティ装置１００は、ＣＰＵ、ＲＯＭ、ＲＡＭ等を内蔵し、前記ＲＯＭに格納されたプログラムに従って所定の制御を実行するサーバ部１０１と、このサーバ部１０１に接続されるとともに入出力部にセンサ等が接続されるＩ／Ｏ部１１０とを備える。
【０００５】
サーバ部１０１は、ＲＳ（Recommended Standard）−２３２Ｃインターフェース回路、イーサネット（Ethernet）（登録商標）１２０に接続されるイーサネット用インターフェース回路等を内蔵し、ＲＳ２３２Ｃインターフェース回路に接続されたＲＳ２３２Ｃ端子１０２Ａ，１０２Ｂと、前記イーサネット１２０に接続されるイーサネット端子１０３と、Ｉ／Ｏ部１１０に接続される入出力端子１０４とを備える。
【０００６】
Ｉ／Ｏ部１１０は、サーバ部１０１の入出力端子１０４に接続される入力端子１１１と、Ｉ／Ｏ部１１０側から電源供給を受ける必要のあるセンサ１３０が接続される出力端子１１２と、玄関ドアの施錠／開錠の際に用いる認証キー１４０、温度センサ等の複数のセンサを含むセンサ部１５０が接続される入力部１１３、ブザー１６０等が接続される出力部１１４とを備える。
【０００７】
サーバ部１０１とＩ／Ｏ部１１０は、例えば、ブレーカーボックス等の１つの筐体に収納され、認証キー１４０は、玄関ドアの近傍に設置される。センサ部１５０は住宅内の各所の監視したい場所に設置される。また、ブザー１６０は、居間や部屋等に設置される。
【０００８】
図４において、サーバ部１０１が動作し、例えば、センサ部１５０の温度センサの温度検出値が入力部１１３を介してＩ／Ｏ部１１０に取り込まれると、Ｉ／Ｏ部１１０は、入出力端子１０４を介して温度検出値をサーバ部１０１に伝送する。サーバ部１０１は、Ｉ／Ｏ部１１０から受信した温度検出値が閾値を越えているとき、認証キー１４０の状態から家が留守であることを判定すると、イーサネット端子１０３を介してイーサネット１２０に接続された警備会社等の図示しない端末装置に異常を知らせる情報を送信する。或いは、ＲＳ−２３２Ｃ端子１０２Ａ（または１０２Ｂ）を介して警備室の図示しない端末装置へ異常を知らせる情報を送信する。これにより、異常を知った管理者等は、適切な処置を迅速にとることができる。
【０００９】
また、サーバ部１０１は、異常が検出され、かつ電子錠が開錠状態にあることを判定すると、Ｉ／Ｏ部１１０を介してブザー１６０を鳴らし、住人に異常の発生を報知する。この場合、住人は、暖房機、ガスレンジ、風呂水等に異常を発生したことを知ることができる。
【特許文献１】特開２００２−１９００７０号公報（［００１８］〜［００２１］、図１）
【特許文献２】特開２００１−３０９０６７号公報（［００１２］〜［００２２］、図１〜図３）
【特許文献３】特開２０００−３０３７２９号公報（［０００５］〜［００１０］、図１〜図３）
【発明の開示】
【発明が解決しようとする課題】
【００１０】
しかし、従来のセキュリティ装置によると、センサ部１５０が接続された入力部１１３には、温度センサ等に比べて検出の重要度が高い検出体としての認証キー１４０も接続されている。このため、認証キー１４０に金属ワイヤ等を挿入するなどして、認証キー１４０に接続されたラインをショートさせた場合、Ｉ／Ｏ部１１０内の回路を故障させたり、動作異常を発生させるおそれがある。また、認証キー１４０側の異常によって、センサ部１５０が機能しなくなる。
【００１１】
従って、本発明の目的は、認証キー等の重要度の高い検出体のラインをセンサ部側から分離し、検出体側のライン状態がセンサ部側に影響を与えないようにしたセキュリティ装置を提供することにある。
【課題を解決するための手段】
【００１２】
本発明は、上記目的を達成するため、１または複数のセンサが接続される第１の入出力部と、前記センサに比べて重要度の高い検出体が接続される第２の入出力部と、前記第１および第２の入出力部を選択的に接続するカプラと、前記カプラを制御して前記第１の入出力部に接続された前記１または複数のセンサおよび前記第２の入出力部に接続された前記検出体からの検出信号により監視を行う制御部とを備えたことを特徴とするセキュリティ装置を提供する。
【発明の効果】
【００１３】
本発明のセキュリティ装置によれば、認証キー等の重要度の高い検出体のラインの状態がセンサ部側に影響を与えないようにすることができる。
【発明を実施するための最良の形態】
【００１４】
[第１の実施の形態]
（セキュリティ装置の構成）
図１は、本発明の第１の実施の形態に係るセキュリティ装置を示す。このセキュリティ装置１は、制御部としてのＣＰＵ１０ａ、フラッシュメモリ１０ｂ、ＳＲＡＭ１０ｃを備えた本体としてのセンササーバ１０と、認証キー１４０が接続される第２の入出力部としての入出力部１１と、センサ部１５０およびブザー１６０が接続される第１の入出力部としての入出力部１２と、イーサネット１２０に接続されるイーサネット端子１３と、特定のセンサ１３０が接続される入出力部１４と、外部の端末装置との接続に用いられるＲＳ−２３２Ｃ端子１５Ａ，１５Ｂとを備える。
【００１５】
ＣＰＵ１０ａ、フラッシュメモリ１０ｂ、およびＳＲＡＭ１０ｃは、１枚のプリント配線基板に搭載され、このプリント配線基板は１つの筐体に収納されている。さらに、入出力部１１、入出力部１２、イーサネット端子１３、入出力部１４、およびＲＳ−２３２Ｃ端子１５Ａ，１５Ｂは、前記筐体の側面または背面等に設けられている。
【００１６】
センサ１３０は、センササーバ１０側から電源供給を受ける必要があるなどして、センサ部１５０に含めないで単独で布線することが好ましいセンサである。
【００１７】
認証キー１４０は、例えば、ＣＰＵ、メモリ、インターフェース等が一体化されたＩＣ、ボタン電池、コネクタ等をＡＢＳ樹脂等による本体内に内蔵し、さらに本体外面の所定位置には認識の完了等を表示するためのＬＥＤランプが設けられている。この認証キー１４０は、専用の接続具等が一端に接続された伝送線１６を介して入出力部１１に接続される。
【００１８】
センサ部１５０は、温度センサ、湿度センサ、電子錠、ガスセンサ、ドア開閉センサ、ブザー、監視カメラ等を含み、これらセンサや監視カメラは、それぞれが専用の配線、ケーブル等によって入出力部１２に接続される。
【００１９】
ブザー１６０は、警報出力用であり、居住者が最も長くいる場所、例えば、居間等に設置するのが望ましい。なお、ブザー１６０に代えて、ランプ等を用いることもできる。
【００２０】
（セキュリティ装置の詳細な構成）
図２は、図１のセンササーバ１０の詳細構成を示すブロック図である。ＣＰＵ１０ａには、図１に示したフラッシュメモリ１０ｂ、２つのＳＲＡＭ１０ｃ、入出力部１１，１２、イーサネット端子１３、入出力部１４、ＲＳ−２３２Ｃ端子１５Ａ，１５Ｂが接続されている。
【００２１】
更に、センササーバ１０は、入出力部１１，１２が接続されたカプラとしてのＬＡＮカプラ１７と、入出力部１４が接続されたドライバ１８Ａと、イーサネット端子１３が接続されたドライバ１８Ｂと、ＲＳ−２３２Ｃ端子１５Ａ，１５Ｂが接続されたＲＳ−２３２Ｃドライバ１９と、ＣＰＵ１０ａにクロック信号を供給するＲＴＣ（リアルタイムクロック）２０とを備え、これらはＣＰＵ１０ａに接続されている。
【００２２】
さらに、センササーバ１０は、２つのＳＲＡＭ１０ｃに接続された電源監視部２１Ａ，２１Ｂと、電源監視部２１Ａ，２１Ｂに接続された充放電制御部２２と、２つのＳＲＡＭ１０ｃのバックアップ電源となる二次電池２３と、ＬＡＮカプラ１７に接続された８チャンネルのアドレススイッチ２４と、アドレススイッチ２４の各チャンネルに接続されたフォトカプラ２５Ａ〜２５Ｆ、およびフォトＭＯＳ２５Ｇ，２５Ｈと、ＡＣ１００Ｖの商用電源に電源コード２６を介して接続されるノイズフィルタ２７と、ノイズフィルタ２７を介して供給されたＡＣ１００ＶからＤＣ１２Ｖを生成するスイッチング電源部２８と、スイッチング電源部２８によるＤＣ１２Ｖから安定化した所定の直流電圧を生成するレギュレータ回路２９，３０と、レギュレータ回路３０によるＤＣ３．３Ｖから安定化した所定の直流電圧を生成するレギュレータ回路３１とを備える。
【００２３】
ＬＡＮカプラ１７は、所定時間間隔または必要に応じて、ＣＰＵ１０ａの制御のもとに入出力部１１またはアドレススイッチ２４の一方を選択し、接続先のセンサまたは認証キー１４０からの情報をＣＰＵ１０ａへ伝送する。また、悪戯防止等のため、夜間等の予め定められた時間帯や、長期休暇、年末年始等の予め定められたスケジュールが動作条件として設定されているときは、その動作条件に基づいて入出力部１１を選択しないように動作する。
【００２４】
ドライバ１８Ｂは、イーサネットのプロトコルに対応した伝送制御を行う回路構成を備える。ドライバ１８Ａは、センサ１３０を駆動または検出結果を取り込むための回路構成を備える。さらに、ＲＳ−２３２Ｃドライバ１９は、ＲＳ−２３２Ｃ規格の伝送制御を行う回路構成を備える。
【００２５】
ＲＴＣ２０は、センササーバ１０における時計を電源オフ時でも動作させる時計回路、およびＣＰＵ１０ａのクロック信号を生成する回路を備える。
【００２６】
電源監視部２１Ａ，２１Ｂは、それぞれのＳＲＡＭ１０ｃにレギュレータ回路３０等から印可されている電源の状態を監視し、動作電圧以下になったときにはＳＲＡＭ１０ｃの電源を直ちに二次電池２３に切り換える回路構成を有する。
【００２７】
充放電制御部２２は、レギュレータ回路２９等の出力電圧を用いて二次電池２３の充放電を制御する回路構成を有する。
【００２８】
二次電池２３は、充電可能な電池、例えばボタン型の電池であり、スイッチング電源部２８がオフになっているときに２つのＳＲＡＭ１０ｃに電源を供給し続け、記憶内容が消去されないようにする。
【００２９】
アドレススイッチ２４は、フォトカプラ２５Ａ〜２５Ｆ、フォトＭＯＳ２５Ｇ，２５Ｈを所定時間に一巡するように順番に切り換えて、フォトカプラ２５Ａ〜２５Ｆ、フォトＭＯＳ２５Ｇ，２５Ｈに接続された各センサから取得したデータ、或いは各センサの動作チェックをし、その結果をＬＡＮカプラ１７を介してＣＰＵ１０ａへ伝送する。
【００３０】
フォトカプラ２５Ａ〜２５Ｆは、同一の仕様および構成であり、光（入力側）−電気（出力側）の回路によりデータを取り込むように構成されており、フォトＭＯＳ２５Ｇ，２５Ｈは、電気（入力側）−光（出力側）の回路によりデータを出力する構成を有する。
【００３１】
ノイズフィルタ２７は、ＡＣ１００Ｖの配電側から侵入するノイズを高調波を除去できるように構成されている。
【００３２】
スイッチング電源部２８は、スイッチングレギュレータ方式により、専用のＩＣを用いて安定化した１２Ｖの直流電圧を生成する回路構成を有する。
【００３３】
レギュレータ回路２９，３０は、専用のレギュレータ用ＬＳＩを用いて構成され、＋５．０Ｖ、＋３．３Ｖの安定化した直流電圧を出力する回路構成を有する。また、レギュレータ回路３１は、レギュレータ回路３０の出力電圧から安定化した＋１．８Ｖの直流電圧を出力する回路構成を有する。
【００３４】
（セキュリティ装置の動作）
次に、図１および図２を参照して、セキュリティ装置１の動作を説明する。まず、１つの住居に居住する全員は、認証キー１４０を所持しており、それぞれの認証キー１４０に対応する個人情報が、センササーバ１０のＳＲＡＭ１０ｃに予め登録されている。また、居住者のそれぞれが所持する認証キー１４０にも、対応する個人情報が登録されている。
【００３５】
住宅が留守状態になるとき、外出する人は、認証キー１４０を図示しないキー挿入口に挿入する。この操作により電気信号が発生し、この電気信号は入出力部１１を介してＬＡＮカプラ１７に入力され、ＬＡＮカプラ１７が入出力部１１を選択したタイミングでＣＰＵ１０ａに送られる。
【００３６】
ＣＰＵ１０ａは、ＬＡＮカプラ１７からの電気信号を解析して認証キー１４０の接続を認識し、認証キー１４０に対してデータ送信を要求する。ＣＰＵ１０ａは、認証キー１４０からデータが送られてくると、これをＳＲＡＭ１０ｃに格納した後、フラッシュメモリ１０ｂに登録されているデータと、ＳＲＡＭ１０ｃから読み出したデータが一致するとき、不図示の電子錠を作動させ、不図示の玄関ドアを施錠する。また、ＣＰＵ１０ａは、認証キー１４０のＬＥＤランプを点灯させ、認識完了を通知する。なお、データが不一致の場合、ＣＰＵ１０ａは、認証キー１４０のＬＥＤランプを点滅させ、認識できなかったことをキー所持者に認識させる。認証キー１４０の所持者は、ＬＥＤランプの点灯を確認した後、挿入口から認証キー１４０を抜き取る。
【００３７】
センササーバ１０は、電子錠を施錠後、この施錠に基づいて住宅内が無人になったことをＣＰＵ１０ａが判断し、屋内外の監視を開始する。例えば、センササーバ１０による監視中に、フォトカプラ２５Ａに接続された玄関ドアの開閉センサが動作したとすると、そのオン／オフ信号がアドレススイッチ２４、ＬＡＮカプラ１７を介してＣＰＵ１０ａに取り込まれる。ＣＰＵ１０ａは、居住者以外の者が外部から玄関ドアを開けた可能性を判定し、ドライバ１８Ｂを介してイーサネット１２０に警報情報を送り、或いは、ＲＳ−２３２Ｃドライバ１９およびＲＳ−２３２Ｃ端子１５Ａ（または１５Ｂ）を介して外部の端末装置に警報情報を送り、予め契約してある警備会社や携帯電話等との通信を行い、住宅に異常が発生したことを警備会社、携帯電話を所持する居住者にメッセージ等により通知する。
【００３８】
警備会社では、センササーバ１０からの通知に対し、警備員を派遣し、あるいは契約している警備会社と連絡を取りつつ、警察署、消防署等に連絡する等の処置をとる。これにより、被害等を最小限にくい止めたり、事故や事件に迅速に対応することが可能になる。携帯電話を所持する居住者は、警報を受信したとき、自宅に戻り、或いは警察署、消防署等に連絡する等の処置をとる。
【００３９】
以上の説明は、玄関ドアの開閉センサについての処理であったが、ＣＰＵ１０ａは他のセンサについても同様に処理を実行する。例えば、キッチンに設置された温度センサの場合、ＣＰＵ１０ａは、検出された温度値とフラッシュメモリ１０ｂに格納されているしきい値とを比較し、温度値がしきい値を越えているときには、異常を判定し、住宅内に設置された不図示のブザーを鳴らし、家人に警報する。このとき、ＣＰＵ１０ａは、電子錠の施錠から留守であることを判定すると、上記したようにして、外部に通報する。
【００４０】
一方、居住者のいずれかが帰宅したとき、帰宅者は、所持する認証キー１４０をキー挿入口に挿入することにより、その挿入が入出力部１１およびＬＡＮカプラ１７を介してＣＰＵ１０ａに通知される。ＣＰＵ１０ａは、フラッシュメモリ１０ｂに登録されている情報と認証キー１４０から送られてきた情報とが一致するとき、キー挿入者は真正の居住者であると判断し、電子錠を開錠する。これにより、帰宅者は玄関ドアを開けることができる。
【００４１】
（第１の実施の形態の効果）
第１の実施の形態によれば、下記の効果を奏する。
【００４２】
（イ）認証キー１４０の系統が、センサ側のラインから分離しているため、認証キー１４０の挿入口に金属製の異物を挿入する等のいたずらによってライン間に短絡が生じたとしても、センサ側に影響が及ばないようにすることができ、誤動作を防止することができる。
【００４３】
（ロ）センサ側と認証キー１４０側を分離してＣＰＵ１０ａに接続することができるため、相互間のノイズの影響を受けにくくすることができる。
【００４４】
（ハ）ＬＡＮカプラ１７、アドレススイッチ２４、ドライバ１７Ａ等のＩ／Ｏ部をセンササーバ１０に内蔵したため、従来、「電源＋信号線」によるケーブルを介して接続していた分の電流負荷を軽減できる。この結果、ケーブルにおける電圧降下を低減できるため、ケーブルを長くすることが可能になり、センササーバ１０から離れた場所にもセンサを設置することができる。
【００４５】
（ニ）Ｉ／Ｏ部をセンササーバ１０に内蔵したことにより、従来のようにＩ／Ｏ部を外付けにする必要がなくなり、Ｉ／Ｏ部のための配線工事を不要することができる。
【００４６】
（ホ）図４に示したような外付けのＩ／Ｏ部が不要になり、これにともなう部品数を少なくすることができるため、コストダウンを図ることができる。
【００４７】
（ヘ）ＬＡＮカプラ１７にアドレススイッチ２４と認証キー１４０を接続し、両者をＬＡＮカプラ１７によって切り換える構成にしたため、複数のセンサの動作チェックをアドレススイッチ２４により行うことができる。
【００４８】
[第２の実施の形態]
図３は、本発明の第２の実施の形態に係るセキュリティ装置の処理を示すフローチャートである。この処理は、ＣＰＵ１０ａにより実行され、実行するためのプログラムはフラッシュメモリ１０ｂに格納されている。また、本実施の形態におけるハードウェアは、図１および図２に示した通りである。なお、図３におけるＳは、ステップを表している。
【００４９】
フラッシュメモリ１０ｂには、セキュリティ装置１がホームセキュリティを対象にしている場合、認証キー１４０を機能しなくする時間帯、例えば、居住者が帰宅および外出しない時間帯である夜１２から朝６時までを機能停止時間Ｔsとして予め登録してある。なお、時刻の生成は、ＲＴＣ２０によって行われる。
【００５０】
さらに、フラッシュメモリ１０ｂは、ＣＰＵ１０ａが、機能停止時間Ｔsを認識したとき、ＬＡＮカプラ１７をメイン側であるアドレススイッチ２４に繋いだままにする制御プログラムを格納している。
【００５１】
次に、図３の処理について説明する。最初に、ＣＰＵ１０ａが、現在時刻が設定された機能停止時間Ｔsであるか否かについて判断する（Ｓ２０１）。現在時刻が機能停止時間Ｔsである、つまり、夜１２時から朝6時の間にあると判別した場合には（Ｓ２０１：Ｙ）、ＬＡＮカプラ１７における回路の接続先をアドレススイッチ２４に固定する（Ｓ２０３）。この状態においては、ＣＰＵ１０ａと入出力部１１との間の回路は切断されているので、認証キー１４０への給電は停止され、認証キー１４０はその機能を停止している。そのため認証キー１４０が挿入口に差し込まれたり、いたずら等による短絡状態が生じたとしても、ＬＡＮカプラ１７は全く関知することができない。一方、ＬＡＮカプラ１７にはフォトカプラ２５Ａ〜２５Ｆ、フォトＭＯＳ２５Ｇ，２５Ｈを介してセンサ部１５０の複数のセンサが接続されているので、センサ部１５０による監視を常時行うことができる（Ｓ２０４）。
【００５２】
一方、現在時刻が機能停止時間Ｔsでないとき、つまり、朝6時から夜１２時の間にあると判別した場合には（Ｓ２０１：Ｎ）、ＬＡＮカプラ１７における回路の接続先を、メイン側であるアドレススイッチ２４とＡＵＸ（補助）側である入出力部１１とが所定時間ごとに交互に切り換わるよう通常動作を実行し（Ｓ２０２）、センサ部１５０および認証キー１４０の双方を監視する監視動作を実行する（Ｓ２０４）。この監視処理は、第１の実施の形態で説明した通りである。
【００５３】
次に、所定の時間が経過したか否かを判断し（Ｓ２０５）、予め定めた所定時間が経過したと判別した場合には（Ｓ２０５：Ｙ）、処理をＳ２０１に戻し、現在時刻が機能停止時間Ｔsにあるか否かについて再び判断する。この判定に従ってＳ２０２またはＳ２０３が選択され、その選択に従って上記した処理が実行されることになる。一方、所定時間が経過していないと判別した場合には（Ｓ２０５：Ｎ）、電源オフの処理が行われたか否かについての判断を行う（Ｓ２０６）。電源オフの処理が行われていないと判別した場合には（Ｓ２０６：Ｎ）、処理をＳ２０４に戻し、監視動作を実行する。一方、電源オフの処理が行われたと判別した場合には（Ｓ２０６：Ｙ）、センササーバ１０の動作を全て停止する。
【００５４】
（第２の実施の形態の効果）
第２の実施の形態によれば、第１の実施の形態の効果に加え、認証キー１４０を用いない時間帯には、入出力部１１への給電を停止することができるため、入出力部１１への給電にともなうトラブルの発生を未然に防止することができる。
【００５５】
［他の実施の形態］
なお、本発明は、上記各実施の形態に限定されず、その要旨を変更しない範囲内で種々な変形が可能である。例えば、検出体は、認証キー１４０を示したが、同様に重要度の高い他の検出体であってもよい。具体的には、ＩＣカード、認証機能付きの携帯端末機等がある。
【図面の簡単な説明】
【００５６】
【図１】本発明の実施の形態に係るセキュリティ装置を示すブロック図である。
【図２】図１のセンササーバの詳細構成を示すブロック図である。
【図３】本発明の第２の実施の形態に係るセキュリティ装置の処理を示すフローチャートである。
【図４】従来のセキュリティ装置の構成を示すブロック図である。
【符号の説明】
【００５７】
１  セキュリティ装置
１０  センササーバ
１０ａ  ＣＰＵ
１０ｂ  フラッシュメモリ
１１，１２  入出力部
１３  イーサネット端子
１４  入出力部
１５Ａ，１５Ｂ  ＲＳ−２３２Ｃ端子
１６  ＬＡＮカプラ
１７  伝送線
１８Ａ，１８Ｂ  ドライバ
１９  ＲＳ−２３２Ｃドライバ
２０  ＲＴＣ
２１Ａ，２１Ｂ  電源監視部
２２  充放電制御部
２３  二次電池
２４  アドレススイッチ
２５Ａ〜２５Ｆ  フォトカプラ
２５Ｇ，２５Ｈ  フォトＭＯＳ
２６  電源コード
２７  ノイズフィルタ
２８  スイッチング電源部
２９，３０，３１  レギュレータ回路
１００  セキュリティ装置
１０１  サーバ部
１０２Ａ，１０２Ｂ  ＲＳ−２３２Ｃ端子
１０３  イーサネット端子
１０４  入出力端子
１１０  Ｉ／Ｏ部
１１１  入力端子
１１２  出力端子
１１３  入力部
１１４  出力部
１２０  イーサネット
１３０  センサ
１４０  認証キー
１５０  センサ部
１６０  ブザー
【図１】
2006202193.tif 000003
【図２】
2006202193.tif 000004
【図３】
2006202193.tif 000005
【図４】
2006202193.tif 000006